(57)【特許請求の範囲】
【請求項１】
底部と、底部の一方の相対する辺部にヒンジ連結された一方の側壁と、同じく、底部のもう一方の辺部にヒンジ連結されたもう一方の側壁とを有し、折り畳まれた状態から、一方の側壁を垂直に立て、次いで、もう一方の側壁を垂直に立てることにより、箱型に組み立てることができるように構成された折り畳みコンテナーにおいて、もう一方の側壁の係合枠部には、先端に係止突起が形成された嵌合ブロックと、先端に係止突起が形成された弾性を有する嵌合板状部材とが形成されており、また、一方の側壁の係合枠部には、もう一方の側壁の係合枠部に形成された嵌合ブロックが挿入される嵌合孔と、もう一方の側壁の係合枠部に形成された嵌合板状部材が挿入される嵌合孔とが形成されており、もう一方の側壁の係合枠部に形成された嵌合板状部材の一方の側壁の係合枠部に形成された嵌合孔への挿入過程においては、前記嵌合板状部材の係止突起が、前記嵌合孔の天部に当接して、前記嵌合板状部材が下方に湾曲するとともに、前記嵌合板状部材の係止突起が、前記嵌合孔から出た際には、前記嵌合板状部材が、その弾性により上動して、前記嵌合板状部材の係止突起が、もう一方の側壁に形成された係合枠部の角部に係止されるように構成されており、また、もう一方の側壁の係合枠部に形成された嵌合ブロックを、一方の側壁の係合枠部に形成された嵌合孔に挿入した時点では、前記嵌合ブロックに形成された係止突起が、前記嵌合孔の外側に位置するとともに、前記嵌合ブロックに形成された係止突起の上端が、前記嵌合孔を構成する天部と同じ高さか、或いは、天部より、若干、低い位置に位置するように構成されており、もう一方の側壁の係合枠部に形成された嵌合ブロックが、一方の側壁の係合枠部に形成された嵌合孔に対して、相対的に上動することにより、前記嵌合ブロックに形成された係止突起が、前記係合枠部に形成された角部に係止されるように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来、平面形状が略長方形の底部の相対する長辺部に、ヒンジ部を介して連結された長側壁と、同じく上記底部の相対する短辺部に、ヒンジ部を介して連結された短側壁とからなる折り畳みコンテナーが知られており、折り畳み状態においては、底部の上に短側壁が重なるように折り畳まれ、更にその上に、長側壁が折り畳まれており、そして、折り畳まれた状態の長側壁を、底部に対して垂直に立て、次いで、折り畳まれた状態の短側壁を、底部に対して垂直に立てることにより、箱型に組み立てるように構成されている。
【０００３】
上述した従来の折り畳みコンテナーが組み立てられた状態においては、長側壁に配設された係合枠部と短側壁に配設された係合枠部とを係合させることによって、組み立てられた状態の折り畳みコンテナーの短側壁が、容易には、組み立てられた折り畳みコンテナーの内側に倒れないように構成されている。
【０００４】
【発明が解決しようとする課題】
従来の折り畳みコンテナーにおいては、組み立てられた状態の折り畳みコンテナーの短側壁が、容易には、組み立てられた折り畳みコンテナーの内側に倒れないように、長側壁に配設された係合枠部と短側壁に配設された係合枠部との係合状態を強くするように構成されているが、このように構成すると、垂直に立てられた長側壁に対して、短側壁を底部方向に回動させて、折り畳みコンテナーを折り畳む作業の際に、上記の長側壁に配設された係合枠部と短側壁に配設された係合枠部との係合状態の解除が困難になり、折り畳みコンテナーの折り畳み作業に時間がかかり、その作業性が悪くなるという問題があった。
【０００５】
本発明の目的は、上述した従来の折り畳みコンテナーが有する課題を解決することにある。
【０００６】
【課題を解決するための手段】
本発明は、上述した目的を達成するために、底部と、底部の一方の相対する辺部にヒンジ連結された一方の側壁と、同じく、底部のもう一方の辺部にヒンジ連結されたもう一方の側壁とを有し、折り畳まれた状態から、一方の側壁を垂直に立て、次いで、もう一方の側壁を垂直に立てることにより、箱型に組み立てることができるように構成された折り畳みコンテナーにおいて、もう一方の側壁の係合枠部には、先端に係止突起が形成された嵌合ブロックと、先端に係止突起が形成された弾性を有する嵌合板状部材とが形成されており、また、一方の側壁の係合枠部には、もう一方の側壁の係合枠部に形成された嵌合ブロックが挿入される嵌合孔と、もう一方の側壁の係合枠部に形成された嵌合板状部材が挿入される嵌合孔とが形成されており、もう一方の側壁の係合枠部に形成された嵌合板状部材の一方の側壁の係合枠部に形成された嵌合孔への挿入過程においては、前記嵌合板状部材の係止突起が、前記嵌合孔の天部に当接して、前記嵌合板状部材が下方に湾曲するとともに、前記嵌合板状部材の係止突起が、前記嵌合孔から出た際には、前記嵌合板状部材が、その弾性により上動して、前記嵌合板状部材の係止突起が、もう一方の側壁に形成された係合枠部の角部に係止されるように構成されており、また、もう一方の側壁の係合枠部に形成された嵌合ブロックを、一方の側壁の係合枠部に形成された嵌合孔に挿入した時点では、前記嵌合ブロックに形成された係止突起が、前記嵌合孔の外側に位置するとともに、前記嵌合ブロックに形成された係止突起の上端が、前記嵌合孔を構成する天部と同じ高さか、或いは、天部より、若干、低い位置に位置するように構成されており、もう一方の側壁の係合枠部に形成された嵌合ブロックが、一方の側壁の係合枠部に形成された嵌合孔に対して、相対的に上動することにより、前記嵌合ブロックに形成された係止突起が、前記係合枠部に形成された角部に係止されるように構成したものである。
【０００７】
【実施例】
以下に、本発明の実施例について説明するが、本発明の趣旨を越えない限り何ら、本実施例に限定されるものでない。
【０００８】
上述した従来の折り畳みコンテナーと同様に、本実施例の折り畳みコンテナーも、平面形状が略長方形に形成された底部１の相対する長辺部に、ヒンジ部を介して連結された長側壁２と、同じく、底部１の相対する短辺部に、ヒンジ部を介して連結された短側壁３とから形成されている。また、折り畳みコンテナーの底部１の長辺側の側壁（以下、底部長側壁という。）１ａの高さは、短辺側の側壁（以下、底部短側壁という。）１ｂの高さより高く形成されており、組み立てられた折り畳みコンテナーの折り畳みの際には、先ず最初に、短側壁３が底部１に重なるように倒されるように構成されている。
【０００９】
折り畳みコンテナーは、図１に示されている箱型に組み立てられた状態から、図２に示されているように、短側壁３を内側に倒して、底部１の上に重ね、次いで、同じく、長側壁２を内側に倒して、図３に示されているように、底部１及び短側壁３の上に重ねることにより折り畳まれるように構成されている。逆に、図３に示されている折り畳まれた状態から、図１に示されているように組み立てるには、底部１及び短側壁３の上に重ねられた状態の長側壁２を垂直に立て、次いで、短側壁３を垂直に立てることにより、折り畳みコンテナーを箱型に組み立てる。
【００１０】
次に、主として、図２、図４及び図６〜図８を用いて長側壁２について説明する。
【００１１】
長側壁２は、横長の方形状の板状部２ａと、板状部２ａの下端から外方向に向かって延在する下部水平枠２ｂを有しており、また、板状部２ａの上端には、外方向に向かって延在する上部水平枠２ｃが形成されており、更に、下部水平枠２ｂと上部水平枠２ｃの両端及びその中間部を連結する垂直枠２ｄが、適当数、板状部２ａの外面に設けられている。
【００１２】
長側壁２を構成する板状部２ａの両方の垂直端の上部には、板状部２ａに対して垂直な係合枠部２’が、短側壁３方向に延在している。係合枠部２’には、上部嵌合孔２ｅが形成されており、また、上部嵌合突起２ｅの下方には、中間嵌合孔２ｆが形成さており、更に、中間嵌合孔２ｆの下方には、下部嵌合孔２ｇが形成されている。そして、上部嵌合孔２ｅ、中間嵌合孔２ｆ及び下部嵌合孔２ｇは、長側壁２を構成する板状部２ａに平行になるように形成されている。
【００１３】
次に、主として、図２、図５及び図６〜図８を用いて短側壁３について説明する。
【００１４】
短側壁３は、横長の方形状の板状部３ａと、板状部３ａの下端から外方向に向かって延在する下部水平枠３ｂを有しており、また、板状部３ａの上端から外方向に向かって延在する上部水平枠３ｃが形成されており、更に、下部水平枠３ｂと上部水平枠３ｃの両端を連結する垂直枠３ｄが形成されている。３’は、垂直枠３ｄの外側に延在する、板状部３ａの上部を延長することにより形成された係合枠部であり、係合枠部３’は、折り畳みコンテナーが組み立てられた際に、上述した長側壁２に形成された係合枠部２’に当接或いは接近するような位置に形成されている。
【００１５】
３ｅは、短側壁３の係合枠部３’に形成された、先端に、上方に延在する係止突起３ｅ’が形成されている外側水平方向に延在する上部嵌合ブロックである。上部嵌合ブロック３ｅは、長側壁２の係合枠部２’に形成された上部嵌合孔２ｅに挿入されるとともに、係止突起３ｅ’が、上部嵌合孔２ｅの外側に位置するように構成されている。図７に示されているように、上部嵌合ブロック３ｅを、長側壁２の係合枠部２’に形成された上部嵌合孔２ｅに挿入した時点では、係止突起３ｅ’は、上部嵌合孔２ｅの外側に位置するとともに、係止突起３ｅ’の上端３ｅ”は、上部嵌合孔２ｅを構成する天部２ｅ’と同じ高さか、或いは、天部２ｅ’より、若干、低い位置に位置するように構成されている。
【００１６】
また、上部嵌合ブロック３ｅの下方には、先端に、上方に延在する係止突起３ｆ’が形成されている外側水平方向に延在する弾性を有する中間嵌合板状部材３ｆが形成されている。図７に示されているように、中間嵌合板状部材３ｆを、長側壁２の係合枠部２’に形成された中間嵌合孔２ｆに挿入する際には、係止突起３ｆ’が、中間嵌合透孔２ｆの天部２ｆ’に当接し、中間嵌合板状部材３ｆが、若干、下方に湾曲するとともに、係止突起３ｆ’が、中間嵌合孔２ｆから出た際には、中間嵌合板状部材３ｆが、その弾性により上動して、中間嵌合板状部材３ｆの係止突起３ｆ’が、中間嵌合孔２ｆの上方に位置する長側壁２の係合枠部２’の上部角部２ｈに係止されるように構成されている。
【００１７】
更に、中間嵌合板状部材３ｆの下方には、先端部が先細り状に形成されるとともに、外側水平方向に延在する下部嵌合ブロック３ｇが形成されている。下部嵌合ブロック３ｇは、長側壁２の係合枠部２’に形成された下部嵌合孔２ｇに挿入されるように構成されている。また、下部嵌合ブロック３ｇの横幅（突出方向に対して、垂直方向の幅）ｗ１は、下部嵌合孔２ｇの横幅ｗ２より、若干、狭く形成されているとともに、下部嵌合孔２ｇに挿入された時点では、下部嵌合ブロック３ｇの上面３ｇ’と下部嵌合孔２ｇの天部２ｇ’との間には、所定の間隙が形成されるように構成されている。
【００１８】
上述した短側壁３の係合枠部３’に形成された上部嵌合ブロック３ｅ、中間嵌合板状部材３ｆ及び下部嵌合ブロック３ｇは、係合枠部３’に対して、垂直方向に突出するように形成されている。なお、３”は、係合枠部３’の下方に形成された端部側壁枠であり、折り畳みコンテナーを組み立てた際に、上述した長側壁２の係合枠部２’の下方に位置する空間部に入り込むことができるように構成されている。
【００１９】
折り畳みコンテナーを、図３に示されている折り畳まれた状態から、図１に示されているように組み立てるには、底部１及び短側壁３の上に重ねられた状態の長側壁２を垂直に立て、次いで、短側壁３を垂直方向に回動させるが、短側壁３に形成された係合枠部３’が、長側壁２に形成された係合枠部２’に当接或いは接近する過程で、先ず最初に、短側壁３の係合枠部３’に形成された下部嵌合ブロック３ｇが、長側壁２の係合枠部２’に形成された下部嵌合孔２ｇに挿入されることになる。そして、下部嵌合ブロック３ｇの横幅ｗ１は、下部嵌合孔２ｇの横幅ｗ２より、若干、狭く形成されている程度であるので、下部嵌合ブロック３ｇの横方向の移動は、実質的に制限され、従って、長側壁２に対する短側壁３の動きが抑制され、その後の中間嵌合板状部材３ｆの中間嵌合孔２ｆへの挿入及び上部嵌合ブロック３ｅの上部嵌合孔２ｅへの挿入を確実に、且つ、容易に行うことができる。
【００２０】
次いで、短側壁３の係合枠部３’に形成された中間嵌合板状部材３ｆが、長側壁２の係合枠部２’に形成された中間嵌合孔２ｆに挿入されるが、この際には、上述したように、係止突起３ｆ’が、中間嵌合孔２ｆを形成する天部２ｆ’に当接し、中間嵌合板状部材３ｆが、若干、下方に湾曲しながら、中間嵌合板状部材３ｆが、長側壁２の係合枠部２’に形成された中間嵌合孔２ｆに挿入されることになる。
【００２１】
その後、短側壁３の係合枠部３’に形成された上部嵌合ブロック３ｅが、長側壁２の係合枠部２’に形成された上部嵌合孔２ｅに挿入される。この上部嵌合ブロック３ｅの上部嵌合孔２ｅへの挿入過程においては、上部嵌合ブロック３ｅの係止突起３ｅ’は、上部嵌合孔２ｅの天部２ｅ’に当接しないように構成されているので、上部嵌合ブロック３ｅは、抵抗なく、容易に、上部嵌合孔２ｅに挿入されることになる。そして、上部嵌合ブロック３ｅが、長側壁２の係合枠部２’に形成された上部嵌合孔２ｅに挿入された時点では、図７に示されているように、係止突起３ｅ’は、上部嵌合孔２ｅの外側に位置するとともに、係止突起３ｅ’の上端３ｅ”は、上部嵌合孔２ｅを構成する天部２ｅ’と同じ高さか、或いは、天部２ｅ’より、若干、低い位置に位置するように構成されている。
【００２２】
そして、底部１に対して長側壁２を垂直に立て、次いで、短側壁３を垂直方向に回動させて、短側壁３に形成された係合枠部３’が、長側壁２に形成された係合枠部２’に当接或いは接近し、折り畳みコンテナーが組み立てられた際には、短側壁３の係合枠部３’に形成された上部嵌合ブロック３ｅが、長側壁２の係合枠部２’に形成された上部嵌合孔２ｅに挿入され、また、短側壁３の係合枠部３’に形成された中間嵌合板状部材３ｆが、長側壁２の係合枠部２’に形成された中間嵌合孔２ｆに挿入されるとともに、中間嵌合孔２ｆから出た係止突起３ｆ’が、中間嵌合板状部材３ｆの弾性による上動により、中間嵌合孔２ｆの上方に位置する長側壁２の係合枠部２’の上部角部２ｈに係止される。更に、短側壁３の係合枠部３’に形成された下部嵌合ブロック３ｇが、長側壁２の係合枠部２’に形成された下部嵌合孔２ｇに挿入される。このように、折り畳みコンテナーが組み立てられた状態においては、上部嵌合ブロック３ｅの係止突起３ｅ’は、その上端３ｅ”が、上部嵌合孔２ｅを構成する天部２ｅ’と同じ高さか、或いは、天部２ｅ’より、若干、低い位置に位置しており、従って、上部嵌合ブロック３ｅの係止突起３ｅ’と、上部嵌合透孔２ｅの上方に位置する長側壁２の係合枠部２’の上部角部２ｉとは係合していないが、中間嵌合板状部材３ｆの係止突起３ｆ’が、中間嵌合孔２ｆの上方に位置する長側壁２の係合枠部２’の上部角部２ｈに係止されているので、短側壁３が、簡単に、組み立てられた折り畳みコンテナーの内側に倒れるようなことはない。
【００２３】
上述したようにして組み立てられた折り畳みコンテナーに、物品を収納した後、短側壁３の中央部上部に穿設された、横長の手持ち用透孔Ｈに手を入れて、物品が収納された折り畳みコンテナーを持ち上げると、底部１及び長側壁２が、短側壁３に対して、収納された物品の重さにより、若干、下動することになる。この下動は、底部１と短側壁３を連結しているヒンジ部の雌部分と雄部分と間に存在する間隙に起因するものである。この底部１及び長側壁２の下動により、長側壁２の係合枠部２’に形成された上部嵌合孔２ｅの天部２ｅ’と同じ高さか、或いは、天部２ｅ’より、若干、低い位置に位置していた、短側壁３の係合枠部３’に形成された上部嵌合ブロック３ｅの係止突起３ｅ’が、上部嵌合孔２ｅの天部２ｅ’より、相対的に、上方に位置し、図８に示されているように、上部嵌合ブロック３ｅの係止突起３ｅ’が、上部嵌合孔２ｅの上方に位置する長側壁２の係合枠部２’の上部角部２ｉに係止されることになり、従って、短側壁３が、組み立てられた折り畳みコンテナーの内側に倒れるようなことが確実に防止できる。特に、上部嵌合ブロック３ｅが、ブロック状に形成されており、外力により、簡単には、変形や湾曲するようなことがないので、上部嵌合ブロック３ｅの係止突起３ｅ’と、上記の長側壁２の係合枠部２’の上部角部２ｉとの係止状態が解除されるようなことがない。なお、上述したように、折り畳みコンテナーが、組み立てられた状態においては、短側壁３の係合枠部３’に形成された下部嵌合ブロック３ｇの上面３ｇ’と、長側壁２の係合枠部２’に形成された下部嵌合孔２ｇの天部２ｇ’との間には、所定の間隙が形成されるので、下部嵌合孔２ｇに挿入された下部嵌合ブロック３ｇが、底部１及び長側壁２に対する相対的な短側壁１の上動を阻止するようなことがない。また、長側壁２の係合枠部２’に形成された中間嵌合孔２ｆに挿入された、短側壁３の係合枠部３’に形成された中間嵌合板状部材３ｆは、その弾性により、比較的簡単に湾曲可能であるので、従って、中間嵌合板状部材３ｆが、同様に、底部１及び長側壁２に対する相対的な短側壁１の上動を阻止するようなことがない。
【００２４】
組み立てられた折り畳みコンテナーを、折り畳む際には、組み立てられた折り畳みコンテナーの短側壁３を、若干、下に押してやることにより、上述したように、短側壁３の係合枠部３’に形成された上部嵌合ブロック３ｅの係止突起３ｅ’の上端３ｅ”が、上部嵌合孔２ｅを構成する天部２ｅ’と同じ高さか、或いは、天部２ｅ’より、若干、低い位置に位置し、上部嵌合ブロック３ｅ係止突起３ｅ’と、上部嵌合孔２ｅの上方に位置する長側壁２の係合枠部２’の上部角部２ｉとの係止状態が解除されるので、短側壁３を、簡単に、底部１方向に回動させて、折り畳むことができる。また、短側壁３の係合枠部３’に形成された中間嵌合板状部材３ｆは弾性を有するので、嵌合板状部材３ｆの係止突起３ｆ’は、簡単に、中間嵌合孔２ｆの上方に位置する長側壁２の係合枠部２’の上部角部２ｈから外れるので、短側壁３の底部１方向への回動が、嵌合板状部材３ｆの係止突起３ｆ’により阻止されるようなことがない。
【００２５】
【発明の効果】
本発明は、以上説明した構成を有しているので、以下に記載する効果を奏するものである。
【００２６】
折り畳みコンテナーの組み立ての際に、一方の側壁の係合枠部に形成された嵌合ブロックが、もう一方の側壁の係合枠部に形成された嵌合孔に挿入された後、前記嵌合ブロックが、前記嵌合孔に対して、相対的に上動することにより、前記嵌合ブロックに形成された係止突起が、前記係合枠部に形成された所定の角部に係止されるように構成したので、一方の側壁に配設された係合枠部と、もう一方の側壁に配設された係合枠部との係合を容易に行うことができるとともに、折り畳みコンテナーの作業者による運搬作業の際には、上記の係合枠部同士の係合状態が解除されるようなことがない。また、折り畳みコンテナーの組み立て作業及び折り畳み作業の作業性が向上する。
【図面の簡単な説明】
【図１】図１は本発明の折り畳みコンテナーの組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの長側壁と底部の部分斜視図である。
【図５】図５は本発明の折り畳みコンテナーの短側壁と底部の部分斜視図である。
【図６】図６は本発明の折り畳みコンテナーの組み立て途中の長側壁に沿った部分垂直断面図である。
【図７】図７は本発明の折り畳みコンテナーが組み立てられた状態の長側壁に沿った部分垂直断面図である。
【図８】図８は同じく本発明の折り畳みコンテナーが組み立てられた状態の長側壁に沿った部分垂直断面図である。
【符号の説明】
１・・・・・・・・・・・・底部
２・・・・・・・・・・・・長側壁
２’・・・・・・・・・・・係合枠部
２ｅ・・・・・・・・・・・上部嵌合孔
３・・・・・・・・・・・・短側壁
３’・・・・・・・・・・・係合枠部
３ｅ・・・・・・・・・・・上部嵌合ブロック
【図１】
0004243010.tif 000002
【図２】
0004243010.tif 000003
【図３】
0004243010.tif 000004
【図４】
0004243010.tif 000005
【図５】
0004243010.tif 000006
【図６】
0004243010.tif 000007
【図７】
0004243010.tif 000008
【図８】
0004243010.tif 000009